(57)【要約】      （修正有）【課題】オリジナルの画像データがどの程度補正されたかを容易に確認することができる画像表示装置、画像表示方法、及び画像表示プログラムを提供する。【解決手段】画像表示装置は、少なくとも１つの画像データ、当該各画像データを補正するための補正条件データ、及び当該補正条件データに基づいて補正が行われた後の補正画像データを記憶する第１の記憶手段と、前記補正条件データに基づいて、画像データを補正し、補正画像データを生成する画像処理手段と、画像データに基づく元画像、及び補正画像データに基づく補正画像を重ね合わせ、いずれか一方を表示する画面を有する表示手段と、表示画面に表示すべき画像を選択する入力手段と、入力手段からの入力により、元画像と補正画像のいずれか一方が表示画面上で表示されるように切り換える表示制御手段と、を備えている。【選択図】図３
2012129738.tif 000002
【特許請求の範囲】
【請求項１】
少なくとも１つの画像データ、当該各画像データを補正するための補正条件データ、及び当該補正条件データに基づいて補正が行われた後の補正画像データを記憶する第１の記憶手段と、
前記補正条件データに基づいて、前記画像データを補正し、前記補正画像データを生成する画像処理手段と、
前記画像データに基づく元画像、及び補正画像データに基づく補正画像を重ね合わせ、いずれか一方を表示する画面を有する表示手段と、
前記表示画面に表示すべき画像を選択する入力手段と、
前記入力手段からの入力により、前記元画像と補正画像のいずれか一方が前記表示画面上で表示されるように切り換える表示制御手段と、
を備えている、画像表示装置。
【請求項２】
前記画像データを生成する撮像手段と、
前記撮像手段による撮像に先立って、複数の補正条件の中から１つを選択させ、当該補正条件に関わる前記補正条件データを特定する設定制御手段と、
前記撮像手段により生成された前記画像データ、特定された補正条件データ、及び画像処理手段により生成された補正画像データを前記第１の記憶手段に記憶させる記憶制御手段と、
をさらに備えている、請求項１に記載の画像表示装置。
【請求項３】
前記補正画像データを記憶する不揮発性の第２の記憶手段をさらに備え、
前記記憶制御手段は、
前記画像処理手段により生成された補正画像データを前記第２の記憶手段に記憶させる、請求項２に記載の画像表示装置。
【請求項４】
前記入力手段は、前記表示画面に配置されるタッチスイッチにより構成されており、前記表示画面をタッチすることで、前記表示画面に表示される元画像及び補正画像が互いに切り替わる、請求項１から３のいずれかに記載の画像表示装置。
【請求項５】
前記表示制御手段は、前記元画像が前記表示画面に表示されているときは補正前を特定する表示を前記表示画面に表示させ、前記補正画像が前記表示画面に表示されているときは補正後を特定する表示を前記表示画面に表示させる、請求項１から４のいずれかに記載の画像表示装置。
【請求項６】
画像を表示する画面、及び前記表示画面に表示すべき画像を選択する入力手段を有する画像表示装置の画像表示方法であって、
補正条件データに基づいて、画像データを補正し、補正画像データを生成する画像処理ステップと、
前記画像データに基づく元画像、及び前記補正画像データに基づく補正画像を重ね合わせ、いずれか一方を前記表示画面に表示する表示ステップと、
前記入力手段からの入力により、前記元画像と補正画像のいずれか一方が前記表示画面上で表示されるように切り換える切換ステップと、
を備えている、画像表示方法。
【請求項７】
画像を表示する表示画面、及び前記表示画面に表示すべき画像を選択する入力手段を有する画像表示装置内のコンピュータに、
補正条件データに基づいて、画像データを補正し、補正画像データを生成する画像処理ステップと、
前記画像データに基づく元画像、及び前記補正画像データに基づく補正画像を重ね合わせ、いずれか一方を前記表示画面に表示するステップと、
前記入力手段からの入力により、前記元画像と補正画像のいずれか一方が前記表示画面上で表示されるように切り換えるステップと、
を実行させる、画像表示プログラム。
【発明の詳細な説明】
【技術分野】
【０００１】
本発明は、画像表示装置、画像表示方法、及び画像表示プログラムに関する。
【背景技術】
【０００２】
特許文献１に記載されているようなデジタルカメラでは、カメラの背面に設けられた液晶画面により、撮像した画像を確認できるようになっている。また、撮像を行う際には、複数の中から選択された撮像モードに基づいて、撮像された画像データを補正し、補正後の画像データに基づく補正画像を液晶画面で表示できるようになっている。撮像モードとしては、例えば、夜景を撮影するのに適した夜景モード、料理を撮影するのに適した料理モードなどがあり、選択された撮像モードに基づく補正パラメータを適用して、画像データを補正するようになっている。
【先行技術文献】
【特許文献】
【０００３】
【特許文献１】特開２００６−１９１２３２号公報
【発明の開示】
【発明が解決しようとする課題】
【０００４】
ところで、一般的なデジタルカメラでは、補正後の画像のみが液晶画面に表示されるため、オリジナルの画像データがどの程度補正されたかを知ることはできない。すなわち、各撮像モードに基づく補正の効果が分からないという問題があった。
【０００５】
このような問題は、デジタルカメラだけでなく、撮像した画像を表示する携帯電話、スマートフォン、あるいは保存された画像データを画面に表示する画像表示装置全般に生じる問題である。本発明は、上記問題を解決するためになされたものであり、オリジナルの画像データがどの程度補正されたかを容易に確認することができる画像表示装置、画像表示方法、及び画像表示プログラムを提供することを目的とする。
【課題を解決するための手段】
【０００６】
第１の本発明に係る画像表示装置は、少なくとも１つの画像データ、当該各画像データを補正するための補正条件データ、及び当該補正条件データに基づいて補正が行われた後の補正画像データを記憶する第１の記憶手段と、前記補正条件データに基づいて、前記画像データを補正し、前記補正画像データを生成する画像処理手段と、前記画像データに基づく元画像、及び補正画像データに基づく補正画像を重ね合わせ、いずれか一方を表示する画面を有する表示手段と、前記表示画面に表示すべき画像を選択する入力手段と、前記入力手段からの入力により、前記元画像と補正画像のいずれか一方が前記表示画面上で表示されるように切り換える表示制御手段と、を備えている。
【０００７】
この構成によれば、第１の記憶手段に、画像データ、当該各画像データを補正するための補正条件データ、及び当該補正条件データに基づいて補正が行われた後の補正画像データを記憶するとともに、画像データに基づく元画像、及び補正画像データに基づく補正画像を重ね合わせ、いずれか一方を画面に表示するようにしている。そして、入力手段からの入力により、元画像と補正画像のいずれか一方が画面上で表示されるように切り換えられる。このように、入力手段からの入力によりも元画像と補正画像が切り換えられるため、補正の効果を容易に視認することができる。特に、元画像と補正画像とは重ね合わされて配置されているため、両画像の相違点を容易に確認することができる。
【０００８】
上記画像表示装置においては、画像データを生成する撮像手段と、撮像手段による撮像に先立って、複数の補正条件の中から１つを選択させ、当該補正条件に関わる前記補正条件データを特定する設定手段と、撮像手段により生成された前記画像データ、特定された補正条件データ、及び画像処理手段により生成された補正画像データを第１の記憶手段に記憶させる記憶制御手段と、をさらに設けることができる。
【０００９】
この構成によると、この画像表示装置を、撮像手段を備えたカメラなどの装置とすることができる。そして、撮像手段によって生成された画像データは、予め選択された補正条件に基づく補正条件データによって補正され、画像データ、補正条件データとともに、第１の記憶手段に記憶される。その後、これらのデータは画面表示に用いることができる。
【００１０】
上記画像表示装置においては、補正画像データを記憶する不揮発性の第２の記憶手段をさらに設けることができる。そして、記憶制御手段は、画像処理手段により生成された補正画像データを第２の記憶手段に記憶させることができる。上記のように、第１の記憶手段に記憶された画像データなどは、画面での確認用に用いることができるが、これに加え、第２の記憶手段に記憶された補正画像データは、保存用として用いることができる。特に、容量の大きい画像データを第２の記憶手段に記憶させることができる。
【００１１】
入力手段は、ボタン、レバーなど、種々の態様にすることができるが、例えば、画面に配置されるタッチスイッチにより構成することができる。これにより、ユーザは、画面の端部に表示される前画像または後画像をタッチすることで、これらの画像を選択画像として画面中央に表示させることができる。タッチ操作としては、いわゆるタップ操作、フリック操作、ドラッグ操作などがあり、これらの操作により、画面に表示される元画像及び補正画像を互いに切り替えることができる。
【００１２】
表示制御手段は、元画像が画面に表示されているときは補正前を特定する表示を画面に表示させ、補正画像が前記表示画面に表示されているときは補正後を特定する表示を画面に表示させることができる。このようにすると、いずれの画像が、補正前または補正後であるかが明確になり、補正の効果をより効果的に確認することができる。補正前を特定する表示は、特には限定されないが、例えば、「before」、「補正前」などがあり、補正後を特定する表示としては、例えば、「after」、「補正後」などがある。
【００１３】
第２の本発明は、画像を表示する画面、及び前記表示画面に表示すべき画像を選択する入力手段を有する画像表示装置の画像表示方法であって、補正条件データに基づいて、画像データを補正し、補正画像データを生成する画像処理ステップと、前記画像データに基づく元画像、及び前記補正画像データに基づく補正画像を重ね合わせ、いずれか一方を前記表示画面に表示する表示ステップと、前記入力手段からの入力により、前記元画像と補正画像のいずれか一方が前記表示画面上で表示されるように切り換える切換ステップと、を備えている。
【００１４】
第３の本発明に係る画像表示プログラムは、画像を表示する表示画面、及び前記表示画面に表示すべき画像を選択する入力手段を有する画像表示装置内のコンピュータに、補正条件データに基づいて、画像データを補正し、補正画像データを生成する画像処理ステップと、前記画像データに基づく元画像、及び前記補正画像データに基づく補正画像を重ね合わせ、いずれか一方を前記表示画面に表示するステップと、前記入力手段からの入力により、前記元画像と補正画像のいずれか一方が前記表示画面上で表示されるように切り換えるステップと、を実行させる。
【００１５】
また、第４の本発明に係る画像処理方法は、画像データを第１の記憶手段に記憶するステップと、第１の記憶手段の容量が所定の容量以上であれば、前記画像データを補正処理して第２の記憶手段に記憶し、所定の容量より小さければ、当該第１の記憶手段の容量が所定以上になるまで、前記画像データを圧縮して前記第１の記憶手段に記憶するステップと、を備えている。
【発明の効果】
【００１６】
本発明よれば、オリジナルの画像データがどの程度補正されたかを容易に確認することができる。
【図面の簡単な説明】
【００１７】
【図１】本発明に係る画像表示装置の一実施形態である情報携帯端末の平面図である。
【図２】図１の情報携帯端末のブロック図である。
【図３】撮影処理のフローチャートである。
【図４】図１の情報携帯端末の表示画面の例である。
【図５】図１の情報携帯端末の表示画面の例である。
【図６】画像データの処理の例を示すブロック図である。
【図７】図１の情報携帯端末の表示画において補正画像が表示されている例である。
【図８】図１の情報携帯端末の表示画において元画像が表示されている例である。
【図９】画像閲覧時の処理を示す画面の平面図である。
【図１０】閲覧処理のフローチャートである。
【図１１】本画像データの処理を示すフローチャートである。
【発明を実施するための形態】
【００１８】
以下、本発明に係る画像表示装置をいわゆるスマートフォンなどのカメラ付き情報携帯端末に適用した場合の一実施形態について、図面を参照しつつ説明する。図１は情報携帯端末の平面図、図２は図１の情報携帯端末のブロック図である。
【００１９】
（情報携帯端末の構成）
図１に示すように、この情報携帯端末は、平面視矩形状の筐体１を有し、その前面に矩形状の表示画面２が設けられている。表示画面２は、液晶ディスプレイ、有機ＥＬディスプレイなどで構成され、その表面には、静電容量式、抵抗膜式などの公知のタッチスイッチが配置されており、指で表示画面２をタッチすることで、端末を操作することができるようになっている。また、表示画面２の下側には複数の操作ボタン３が配置されており、これら操作ボタン３によっても端末の操作が可能である。筐体１の背面には、図示を省略するカメラのレンズが配置されており、写真の撮影が可能となっている。
【００２０】
次に、上記情報携帯端末の機能構成について説明する。図２に示すように、この情報携帯端末は、バス１０によって電気的に接続された制御部１１、メモリ１２、ストレージ１３を備えている。このほか、バス１０には、カメラにより撮影された画像を処理する画像処理部１４、表示画面用の表示制御部１５、及び入力用のタッチスイッチ１６が接続されている。制御部１１は、ＣＰＵ(Central Processing Unit)などで構成されており、機能ブロックとして、表示画面２の切り換えを行う表示制御部１１１、生成された画像データのメモリ１２、ストレージ１３への記憶を制御する記憶制御部１１２、及び後述する撮影条件を設定する設定制御部１１３とを備えている。ストレージ１３は、例えば、ハードディスク、フラッシュメモリなどで構成される不揮発性の記憶手段であり、撮影及び画像表示のための処理プログラム、撮影された写真の画像データなどが記憶される。メモリ１２は、アプリケーションプログラムの一時的な作業領域として機能し、画像データを一時的に記憶する領域としても機能する。
【００２１】
画像処理部１４には画像の撮影を行う撮影部１７が電気的に接続されている。撮影部１７は、光学系のレンズ、撮影素子、フラッシュ光源を備えており、レンズから入射した光を撮影素子によってアナログの電気信号に変換するようになっている。撮影素子としては、例えば、ＣＣＤ（Charge Coupled Device）イメージセンサ、ＣＭＯＳ（Complementary Metal Oxide Semiconductor）などを利用することができる。そして、画像処理部１４では、撮影部１７から送られた電気信号を増幅した後、Ａ／Ｄ変換を行ってデジタル信号を生成し、ビットマップなどの形式に変換して本画像データを得る。さらに、この本画像データに対しては、制御部１１からの指令により、必要に応じて透過処理、輪郭強調処理、色再現処理、明るさ補正処理などの補正処理が行われる。こうして補正処理された本補正画像データは、制御部１１の記憶制御部１１３によりストレージ１３に記憶される。その他、本画像データからは、リサイズなどの間引き処理がなされたサムネイル画像データ、及びこれを補正した補正サムネイル画像データが作成される。そして、これらのデータは、制御部１１からの指令によりメモリ１２に記憶される。
【００２２】
表示制御部１５には上述した表示画面２が電気的に接続されており、制御部１１の表示制御部１１１から送信された制御信号に基づき、表示画面２に表示しようとする補正画像データにしたがって、液晶や有機ＥＬなどの表示画面２の駆動制御を行う。そして、表示画面２には、表示制御部１５を介して送られてくる各種画像データに基づく画像が表示される。また、この表示画面２では、複数の画像を重ねることができる。例えば、第１，第２の２つの画像を重ねる場合、透過処理がなされた第１の画像の上に第２の画像が配置されると、第２の画像のみが視認できる。一方、第２の画像を透過処理すると、第１の画像を視認することができる。
【００２３】
次に、上記のように構成された情報携帯端末における写真の撮影方法について説明する。まず、情報携帯端末の制御部１１は、ストレージ１３に記憶された処理プログラムをメモリ１２に読み出して実行することにより、写真の撮影、及び後述する閲覧処理を実行する。以下、図３のフローチャートを参照しつつ、その処理の実行について説明する。
【００２４】
（撮影処理）
まず、処理プログラムを起動すると（Ｓ１）、表示画面２には、図１に示すような初期画面が表示される。初期画面は、画面上部から中央にかけて延びる矩形状の表示領域２１、画面下部の撮影条件領域２２、及びこれらの領域の間に配置されるズーム表示領域２３の３つの領域を有している。また、初期画面の左端には、撮影した画像を閲覧するための閲覧画面に切り換えるための閲覧切換アイコン２４が配置されている。表示領域２１は、カメラで撮影される画像を表示するファインダとして機能する。撮影条件領域２２には、３種類の撮影条件、すなわち、画像のアスペクト比、撮影状況に応じた画像補正内容、及びフラッシュの有無を示すアイコン２２１，２２２，２２３が表示されている。これら各撮影モードのアイコン２２１，２２２，２２３には、現在選択されている条件が示されている。
【００２５】
より詳細に説明すると、各撮影条件のアイコンをタップ操作すると、図４に示すように、選択できる条件を示すアイコンが列挙されたポップアップ表示２２１ａ，２２２ａ，２２３ａが現れる。この状態で、いずれかのアイコンをタップすると、ポップアップ表示２２１ａ，２２２ａ，２２３ａが閉じて選択された条件がアイコンとして撮影条件領域２２に表示される。例えば、アスペクト比としては、「１：１」，「３：２」，「４：６」，及び「１６：９」が用意されており、これらの中からいずれかを選択する。画像補正内容とは、撮影対象に応じて、生成される画像が最適になるように、オリジナルの画像データを補正する条件のことである。この実施形態では、補正処理を行わない「スタンダード」、夜景を撮影するのに適した「夜景」、人の顔を撮影するのに適した「美肌」、及び料理を撮影するのに適した「料理」という４つの条件が設定されている。また、フラッシュの有無は、フラッシュがなされない「ＯＦＦ」、強制的にフラッシュを行う「フラッシュ」、及びフラッシュの要否の自動判別を行う「ＡＵＴＯ」という３つの条件がある。なお、図４では、説明の便宜上、すべての撮影モードの選択ポップアップ表示２２１ａ，２２２ａ，２２３ａが示されているが、実際は、ポップアップ表示は、１つずつ現れ、１つの撮影条件ごとに選択が行われる。図１に示すように、ズーム表示領域２３には、現在のズームの倍率が示されたアイコン２３１が配置されており、これを指でドラッグ操作をすると、図５に示すように、アイコン２３１を同図の左側にドラッグした場合には倍率が小さくなり、右側にドラッグした場合には倍率が大きくなる。アイコン２３１のドラッグとともに、アイコン２３１に表示される倍率を示す数値も変更される。
【００２６】
図３に戻って、撮影処理について説明を続ける。上記のように初期画面が表示されると、上述した手順で３つの撮影条件、つまり画像補正、ズーム倍率、及びフラッシュの有無の設定を行う（Ｓ２）。これにより、制御部１１から撮影部１７に、ズーム倍率、及びフラッシュの有無を示す信号を伝達される。また画像補正については、制御部１１により、メモリ１２から画像処理部１４に補正パラメータを含む補正条件データが伝達され、画像補正の条件が設定される。このような撮影条件の設定は、制御部１１の設定制御部１１２により行われる。次に、携帯端末背面のカメラレンズを撮影対象物に向け、操作ボタン３を押下することで、撮影を行う（Ｓ３）。上述したように、撮影部１７で生成された電気信号は、Ａ／Ｄ変換された後、ビットマップ形式に変換された本画像データが生成される（Ｓ４）。以下、図６も参照して説明すると、こうして生成された本画像データからは、サムネイル用に間引かれたサムネイル画像データが作成される（Ｓ５）。さらに、本画像データ及びサムネイル画像データに対しては、画像処理部１４で補正処理が行われる。すなわち、予め制御部１１から指令された補正条件データに基づいて、各画像データに補正処理が施され、補正本画像データが生成される。例えば、輪郭強調処理、色再現処理、明るさ補正処理などにより、選択した補正内容に適した処理が行われる。こうして、補正処理により、本画像データからは補正本画像データが作成され、サムネイル画像データからは、補正サムネイル画像データが作成される（Ｓ６）。その後、補正本画像データは、ストレージ１３に記憶される一方、サムネイル画像データ、補正条件データ、及び補正サムネイル画像データは、一組の画像リストとして、メモリ１２に記憶される（Ｓ７）。このとき、画像リストに、サムネイル画像データ及び補正条件データのみを含ませておき、後に補正条件データに基づいて補正サムネイル画像データを作成してもよい。そして、さらに撮影を続ける場合には（Ｓ８のＹＥＳ）、ステップＳ２に戻って、撮影条件の設定を行い、撮影を続けない場合には（Ｓ８のＮＯ）、撮影処理が終了する。こうして連続して撮影が行われると、メモリ１２及びストレージ１３には、撮影がなされた順番で、画像データ等が記憶される。なお、メモリ１２に記憶される画像データ等は、次に説明するように、この処理プログラム上での閲覧用に用いられる一方、ストレージ１３に記憶された補正画像データは、保存用に用いられ、例えば、携帯端末に予めインストールされている閲覧ソフトなどで閲覧する際に用いられる。
【００２７】
（閲覧処理）
次に、撮影されたサムネイル画像データ及び補正サムネイル画像データを閲覧する方法について、図８のフローチャートを参照しつつ、説明する。まず、図１の初期画面から閲覧切換アイコン２４をタップすると、制御部１１の記憶制御部１１２は、メモリ１２に記憶された画像リストに補正サムネイル画像データが存在するか確認し（Ｓ１０）、補正サムネイル画像データが存在しない場合には（Ｓ１０のＮＯ）、画像処理部１４において、補正条件データに基づき、サムネイル画像データを補正する（Ｓ２０）。こうして、一つの画像リストの中に、サムネイル画像データ、補正条件データ、及び補正サムネイル画像データが存在するようにする。そして、画像リストの中に補正サムネイル画像データが存在する場合には（Ｓ１０のＹＥＳ）、制御部１１は、図９に示すように、表示画面２に、補正サムネイル画像データに基づく補正画像を表示させる（Ｓ３０）。このとき、表示画面２には、サムネイル画像データに基づく元画像と、補正画像とが重ね合わされて表示されている。そして、元画像が透過処理を施されることで、補正画像のみが表示されるようになっている。そして、この状態から表示されている補正画像をタップすると（Ｓ４０）、制御部１１は、現在表示されている画像が元画像か、あるいは補正画像であるかを判断し（Ｓ５０）、補正画像である場合には（Ｓ５０のＹＥＳ）、図９に示すように、透過処理された元画像が透過処理を解かれて表示されるようになり、表示されていた補正画像が透過処理をされて見えなくなる（Ｓ６０）。なお、図８に示す表示画面２には、制御部１１の表示制御部１１１により「after」という文字が表示されており、補正画像であることが視認される。一方、図９の表示画面２には、制御部１１により「before」という文字が表示され、元画像であることが視認できる。これらの表示は、画像の切り換わりと同時に、制御部１１からの指令によって切り換わるようになっている。続いて、表示画面２をタップしたとき（Ｓ４０）、表示画面２に元画像が表示されている場合には（Ｓ５０のＮＯ）、表示画面２が切り換わり、補正画像が表示される（Ｓ７０）。
【００２８】
なお、複数の画像リストがある場合には、それぞれについて上記のように元画像と補正画像を確認することができる。また、複数の画像リストがある場合、図１０に示すように、一つの画像Ｋが表示されている状態で、表示画面２をフリック操作すると、他の画像Ａが表示される。
【００２９】
以上のように、本実施形態によれば、メモリ１２に、サムネイル画像データ、補正条件データ、及び補正サムネイル画像データからなる画像リストを記憶するとともに、ここから生成される元画像及び補正画像を重ね合わせ、いずれか一方を表示画面２に表示するようにしている。そして、表示画面２をタップすることにより、元画像と補正画像のいずれか一方が表示画面２上で表示されるように切り換えられるようにしている。したがって、補正の効果を容易に視認することができる。特に、元画像と補正画像とは重ね合わされて配置されているため、両画像の相違点を容易に確認することができる。
【００３０】
ところで、撮影を連続して行うと、メモリ１２に記憶される画像データの容量が大きくなり、補正処理などのプログラムの実行に支障を来すおそれがある。メモリ１２の容量が小さいスマートフォンなどでは、特に問題である。そこで、メモリの容量に応じて、次のような処理を行うことができる。以下、この処理について、図１１のフローチャートを参照しつつ説明する。
【００３１】
撮影が行われると（Ｓ１００）、撮影部１７で生成された電気信号は、Ａ／Ｄ変換された後、ビットマップ形式の本画像データが生成される（Ｓ２００）。こうして生成された本画像データからは、サムネイル用に間引かれたサムネイル画像データが作成され（Ｓ３００）、メモリ１２に記憶される（Ｓ４００）。ここで、制御部１１は、メモリ１２の容量が確認し、所定量以上であれば（Ｓ５００のＹＥＳ）、本画像データは、補正画像データに補正され（Ｓ６００）、ストレージ１３に記憶される（Ｓ７００）。一方、メモリの容量が所定量より小さければ（Ｓ５００のＮＯ）、本画像データはｊｐｇ形式に変換され圧縮され、待機する（Ｓ８００）。そして、再度メモリ１２の容量が確認され、所定量以上であれば（Ｓ９００のＹＥＳ）、本画像データは、ビットマップ形式に復元された後（Ｓ１０００）、ステップＳ６００に戻って、補正処理が行われる。一方、メモリ１２の容量が所定量より小さければ（Ｓ９００のＮＯ）、本画像データはメモリ１２が解放されるまでｊｐｇのまま記憶される。こうして、本画像データが補正されてストレージ１３に記憶された後は、ステップＳ１００に戻って再度撮影が行われる。
【００３２】
以上のような処理を行うと、容量の大きい本画像データは、メモリ１２が解放されるまで容量の小さいｊｐｇ形式で保存されるため、メモリ１２上での他の処理をスムーズに行うことができる。
【００３３】
以上、本発明の実施形態について説明したが、本発明はこの実施形態に限定されることはなく、その趣旨を逸脱しない限りにおいて、種々の変更が可能である。例えば、上記実施形態では、タッチスイッチにより、画像の操作を行っているが、これに限定されるものではなく、操作ボタンなどで、元画像と補正画像との切換を行うこともできる。上記実施形態では、サムネイル画像データから元画像及び補正画像を作成してその相違を表示画面で確認できるようにしているが、本画像データ及び補正本画像データを用いて同様の処理を行うこともできる。本画像データは、ビットマップ以外の公知の形式であってもよい。また、圧縮形式もｊｐｇ以外の公知の形式を用いることができる。
【００３４】
上記実施形態では、本発明の画像表示装置をカメラ付きの情報携帯端末に適用した例を示したが、カメラが設けられていない装置、例えばパーソナルコンピュータなどのデバイスにも適用することができる。この場合、デバイスの外部で撮影された画像データを用い、これを閲覧する際に上記方法，処理プログラムを適用することができる。
【符号の説明】
【００３５】
１１  制御部（制御手段）
１２  メモリ（第１の記憶手段）
１３  ストレージ（第２の記憶手段）
１４  画像処理部（画像処理手段）
１５  表示制御部（表示手段）
１６  タッチスイッチ（入力手段）
１７  撮影部（撮影手段）
２  表示画面
３  操作ボタン（入力手段）
【図１】
2012129738.tif 000003
【図２】
2012129738.tif 000004
【図３】
2012129738.tif 000005
【図４】
2012129738.tif 000006
【図５】
2012129738.tif 000007
【図６】
2012129738.tif 000008
【図７】
2012129738.tif 000009
【図８】
2012129738.tif 000010
【図９】
2012129738.tif 000011
【図１０】
2012129738.tif 000012
【図１１】
2012129738.tif 000013